(57)【要約】      （修正有）【課題】粘着層の表面状態に起因して蚊等の虫を捕獲する能力が低下することのない捕虫シートの製造方法及びそのような製造方法に用いられるエアゾール製品を提供すること。【解決手段】虫を捕獲するために用いられる捕虫シートの製造方法であって、シート状の基材２と、基材２に積層されて虫を捕獲する粘着層３と、を有する粘着シート１０の粘着層３に、エアゾール組成物５を噴射する噴射工程を備え、エアゾール組成物５は、粘着剤と、虫を誘引する誘引剤と、溶剤と、噴射剤と、を含有する。【選択図】図１Ｃ
2017006126.tif 000002
【特許請求の範囲】
【請求項１】
虫を捕獲するために用いられる捕虫シートの製造方法であって、
シート状の基材と、該基材に積層されて虫を捕獲する粘着層と、を有する粘着シートの前記粘着層に、エアゾール組成物を噴射する噴射工程を備え、
前記エアゾール組成物は、粘着剤と、前記虫を誘引する誘引剤と、溶剤と、噴射剤と、を含有する捕虫シートの製造方法。
【請求項２】
前記粘着シートは、前記粘着層に積層され且つ前記粘着層から剥離することが可能な剥離層を更に有し、
前記噴射工程の前に、前記剥離層を剥離させることで前記粘着層を露出させる剥離工程を更に備える請求項１記載の捕虫シートの製造方法。
【請求項３】
シート状の基材と、該基材に積層されて虫を捕獲する粘着層と、を有する粘着シートの、前記粘着層にエアゾール組成物を噴射するために用いられる、前記エアゾール組成物をエアゾール容器に充填したエアゾール製品であって、
前記エアゾール組成物は、粘着剤と、前記虫を誘引する誘引剤と、溶剤と、噴射剤と、を含有するエアゾール製品。
【発明の詳細な説明】
【技術分野】
【０００１】
本発明は、捕虫シートの製造方法及びエアゾール製品に関する。
【背景技術】
【０００２】
従来、蚊やハエ等の虫を捕獲するために用いられる、基材の表面に粘着層を形成した捕虫シートが知られている（例えば、特許文献１参照）。捕虫シートを用いれば、その表面に虫を粘着させることで虫を容易に捕獲できる。更に、捕獲した虫は、捕虫シートとともに、容易に破棄できる。
【先行技術文献】
【特許文献】
【０００３】
【特許文献１】特開平１１−２８９９５０号公報
【発明の概要】
【発明が解決しようとする課題】
【０００４】
ところで、このような捕虫シートは、露出された面の状態によって虫を捕獲する性能が低下してしまう場合がある。より詳しくは、捕虫シートの粘着層の表面には、剥離可能な剥離層を積層する場合があるが、この剥離層を剥離した場合に、粘着層の表面が粗くなり、蚊等の虫が粘着層の表面に接触し難くなってしまう。虫が粘着層に接触しなければ、捕虫シートによって虫を捕獲することもできない。
【０００５】
粘着層の表面が粗くなることによって、蚊等の虫が粘着層の表面に接触し難くなる原因は必ずしも明らかになっていないが、このような粘着層の表面状態に起因して蚊等の虫を捕獲する能力が低下することのない捕虫シートが求められている。
【０００６】
本発明は、粘着層の表面状態に起因して蚊等の虫を捕獲する能力が低下することのない捕虫シートの製造方法及びそのような製造方法に用いられるエアゾール製品を提供することを目的とする。
【課題を解決するための手段】
【０００７】
本発明は、虫を捕獲するために用いられる捕虫シートの製造方法であって、シート状の基材と、該基材に積層されて虫を捕獲する粘着層と、を有する粘着シートの前記粘着層に、エアゾール組成物を噴射する噴射工程を備え、前記エアゾール組成物は、粘着剤と、前記虫を誘引する誘引剤と、溶剤と、噴射剤と、を含有する捕虫シートの製造方法に関する。
【０００８】
また、前記粘着シートは、前記粘着層に積層され且つ前記粘着層から剥離することが可能な剥離層を更に有し、前記噴射工程の前に、前記剥離層を剥離させることで前記粘着層を露出させる剥離工程を更に備えることが好ましい。
【０００９】
また、シート状の基材と、該基材に積層されて虫を捕獲する粘着層と、を有する粘着シートの、前記粘着層にエアゾール組成物を噴射するために用いられる、前記エアゾール組成物をエアゾール容器に充填したエアゾール製品であって、前記エアゾール組成物は、粘着剤と、前記虫を誘引する誘引剤と、溶剤と、噴射剤と、を含有するエアゾール製品に関する。
【発明の効果】
【００１０】
本発明によれば、粘着層の表面状態に起因して蚊等の虫を捕獲する能力が低下することのない捕虫シートの製造方法及びそのような製造方法に用いられるエアゾール製品を提供できる。
【図面の簡単な説明】
【００１１】
【図１Ａ】本発明の一実施形態に係る捕虫シートの製造方法を説明するための模式図であり、捕虫シートの製造方法に供される粘着シートを示す図である。
【図１Ｂ】上記実施形態に係る捕虫シートの製造方法を説明するための模式図であり、剥離工程を示す図である。
【図１Ｃ】上記実施形態に係る捕虫シートの製造方法を説明するための模式図であり、噴射工程を示す図である。
【図１Ｄ】上記実施形態に係る捕虫シートの製造方法を説明するための模式図であり、上記実施形態に係る捕虫シートの製造方法によって製造される捕虫シートを示す図である。
【図２】表１及び表２の実験結果を棒グラフにしたものである。
【図３】表３及び表４の実験結果を棒グラフにしたものである。
【発明を実施するための形態】
【００１２】
以下、本発明の実施形態について図面を参照しながら説明する。
本発明の実施形態に係る捕虫シートの製造方法によって製造される捕虫シートは、虫を捕獲するために用いられる。捕虫シートによって捕獲することができる虫としては、ハエ（イエバエ、クロバエ、ニクバエ等）、コバエ（ショウジョウバエ、ノミバエ、キノコバエ、チョウバエ等）、蚊（イエカ、ヤブカ、シマカ等）、蜂、カメムシ等の飛翔性の虫が挙げられる。
【００１３】
図１Ａ〜図１Ｄは、本実施形態に係る捕虫シート１の製造方法を説明するための模式図である。
図１Ａは、本実施形態に係る捕虫シート１の製造方法に供される粘着シート１０である。捕虫シート１は、図１Ａに示す粘着シート１０から製造される。粘着シート１０は、シート状の基材２と、基材２の一方の面に積層される粘着層３と、粘着層３の基材２に接する面とは逆側に積層され且つ粘着層３から剥離することが可能な剥離層４と、を有する。
【００１４】
基材２は、例えば、ポリエステル、ポエチレン、ポリスチロ−ル及びポリウレタン等からなる合成樹脂、紙、合成紙又は金属箔によって構成される。基材２の厚さは、特に制限はないが、例えば、１００〜５００μｍである。
【００１５】
粘着層３は、例えば、アクリル系粘着剤、ゴム系粘着剤、シリコン系粘着剤又はウレタン系粘着剤によって構成される。粘着層３の厚さは、特に制限はないが、例えば、１０〜１００μｍである。粘着層３は、印刷方式、塗装方式、貼付け方式等から選択される任意の方法によって基材２の表面に形成される。
【００１６】
剥離層４は、例えば、樹脂製のフィルムや紙の表面を剥離処理した剥離フィルムや剥離紙によって構成される。剥離層４は、未使用の粘着シート１０における粘着層３の表面を保護する。剥離層４の厚さは、特に制限はないが、例えば、５０〜１００μｍである。
【００１７】
本実施形態に係る捕虫シートの製造方法は、剥離工程ＳＴ１と、噴射工程ＳＴ２と、を備える。図１Ｂは、剥離工程ＳＴ１を示す図であり、図１Ｃは、噴射工程ＳＴ２を示す図である。
図１Ｂに示すように、剥離工程ＳＴ１では、剥離層４を粘着層３から剥離させることで粘着層３を露出させる。剥離層４を粘着層３から剥離させることによって、粘着層３の一部が剥離層４に糊残りする。粘着層３の一部が糊残りすることで、粘着層３の表面には多数の凹部３０が形成され、粘着層３の表面は粗くなる。なお、凹部３０は、それぞれ視認可能な大きさに形成される場合もあるし、視認できないほど微細な場合もある。
【００１８】
図１Ｃに示すように、噴射工程ＳＴ２では、粘着シート１０を、粘着層３の露出した面が上向きになるように配置して、粘着層３にエアゾール組成物５を噴射する。具体的に噴射工程ＳＴ２では、エアゾール組成物５をエアゾール容器６に充填したエアゾール製品７が用いられる。噴射工程ＳＴ２において、エアゾール組成物５は、エアゾール組成物５を充填したエアゾール容器６によって噴射され、エアゾール容器６から噴射されたエアゾール組成物５は、粘着層３の表面に接触する。より詳しくは、粘着層３の表面に接触したエアゾール組成物５は、凹部３０の内部に溜まる。
【００１９】
続いて、エアゾール組成物５について詳しく説明する。
エアゾール組成物５は、粘着剤と、虫を誘引する誘引剤と、溶剤と、噴射剤と、を含有する。粘着剤、誘引剤及び溶剤は、エアゾール組成物の原液を構成する。
【００２０】
粘着剤は、エアゾール剤によって噴射可能な粘着性を有する化合物であれば特に限定されない。粘着剤としては、粘着性の高いポリブテンを例示することができる。原液における粘着剤の含有量は、３０〜６０質量％であることが好ましい。原液における粘着剤の含有量が、３０質量％未満であると噴出される粘着剤の濃度が低くなる傾向にある。一方、原液における粘着剤の含有量が、６０質量％を超えると粘着剤の濃度が高くなり過ぎることでエアゾール組成物５がエアゾール容器６から均一に噴射され難くなる傾向にある。
【００２１】
誘引剤は、捕虫シート１によって誘引したい虫に応じて、適宜使い分けることができる。誘引剤としては、イソブタノール、イソアミルアルコール、フェネチルアルコール、イソ酪酸、乳酸エチル、２−メチル酪酸、メチオノール、ベンジルアルコール、１−メチル−１−ペンタノール、１−ヘプタノール、２−ヘプタノール、３−ヘプタノール、１−オクタノール、２−オクタノール、３−オクタノール、ｃｉｓ−３−ヘキセノール、１−オクテン−３−オール、１−ペンタノール、２−メチルブタナール、ｎ−ヘキサナール、ｎ−ヘプタナール、アセトアルデヒド、イソブチルアルデヒド、イソバレルアルデヒド、バニリン、エチルバニリン、メチルバニリン、ヘリオトロビン、フルフラール、アセトイン、ソトロン、２−ヘプタノン、ジアセチル、イソ酪酸エチル、吉草酸エチル、イソ吉草酸エチル、コハク酸ジメチル、コハク酸ジエチル、プロピオン酸エチル、酪酸エチル、安息香酸エチル、酢酸エチル、酢酸ブチル、酢酸プロピル、酢酸、乳酸、プロピオン酸、パルミチン酸、酪酸、イソ酪酸、吉草酸、イソ吉草酸等が挙げられる。
【００２２】
また、誘引剤としては、上記の化合物の他にも、ローストシュガーフレーバー、ゴマ油フレーバー、オニオンフレーバー、キャベツフレーバー、ヌカ（糠）フレーバー、ミソ（味噌）フレーバー、ショウユ（醤油）フレーバー、ビールフレーバー、コーンフレーバー、ピーナッツフレーバー、バターフレーバー、チーズフレーバー、ミルクフレーバー、ハニーフレーバー、メープルエッセンス等の香料を用いてもよい。
【００２３】
原液における誘引剤の含有量は、０．１〜２質量％であることが好ましい。原液における誘引剤の含有量が、０．１質量％未満であると噴出される誘引剤の濃度が低くなり、捕虫シート１による虫の誘引力が低くなる傾向にある。一方、原液における誘引剤の含有量が、２質量％を超えるとコストが高くなる傾向にある。
【００２４】
溶剤としては、粘着剤の溶解性が高い、ノルマルヘキサン、イソヘキサン、ノルマルペンタン、ノルマルヘプタン、シクロヘキサン及びトランス−１−クロロ−３，３，３−トリフルオロプロペン等を用いることが好ましい。溶剤としては、上に挙げた有機溶剤から２種以上を選択して用いてもよい。
【００２５】
原液における溶剤の含有量は、３０〜６０質量％であることが好ましい。原液における溶剤の含有量が、３０質量％未満であると粘着剤の濃度が高くなり過ぎることでエアゾール組成物５がエアゾール容器６から均一に噴射され難くなる傾向にある。一方、原液における溶剤の含有量が、６０質量％を超えると噴出される粘着剤や誘引剤の濃度が低くなる傾向にある。
【００２６】
原液は、以上説明した粘着剤、誘引剤及び溶剤以外の成分として防腐剤や界面活性剤等を含有してもよい。
【００２７】
噴射剤としては、プロパン及びブタン等の液化石油ガス（ＬＰＧ）、ジメチルエーテル（ＤＭＥ）、ジクロロジフルオロメタン及び１，３，３，３−テトラフルオロプロパ−１−エン等のフロンガス、窒素、二酸化炭素等を例示することができる。エアゾール組成物５は、噴射剤として液化石油ガス及びジメチルエーテルの少なくとも一方を含有することが好ましい。
エアゾール組成物の噴射状態は、噴射剤を適宜使い分けることによって選択することができる。
【００２８】
エアゾール組成物における、原液と噴射剤の配合比（原液の質量／噴射剤の質量）は、３０／７０〜７０／３０であることが好ましい。原液と噴射剤の配合比が、３０／７０未満の場合には噴射される原液が少なくなってしまう傾向にあり、７０／３０を超える場合にはエアゾール組成物５がエアゾール容器６から噴射され難くなる傾向にある。
【００２９】
図１Ｄは、本実施形態に係る捕虫シート１の製造方法によって製造される捕虫シート１を示す模式図である。捕虫シート１は、基材２と、粘着層３と、粘着層３の表面に形成された凹部３０の内部に溜まったエアゾール組成物５の有効成分（粘着剤及び誘引剤）に由来する粘着部５０と、を備える。粘着部５０は、凹部３０の内部に溜まったエアゾール組成物５の原液から溶剤が揮発することによって形成される。
【００３０】
粘着部５０は、粘着性を有し且つ誘引剤に由来する芳香を発する。また、粘着部５０は、凹部３０の内部に配置されることによって、捕虫シート１の露出する面を平坦にする。更に、捕虫シート１の露出する面は、粘着部５０が存在することによって、前面に亘って粘着性を有する。
【００３１】
続いて、本実施形態に係る捕虫シート１の製造方法によって製造される捕虫シート１の使用方法について説明する。
捕虫シート１は、使用する際に、屋外、屋内を問わず、虫を捕獲したい場所に、粘着層３の形成された面を外部に露出して配置する。
【００３２】
ハエや蚊等の虫は、粘着部５０の誘引剤に由来する芳香に誘われて、捕虫シート１の表面（粘着部５０）に誘引される。続いて、ハエや蚊等の虫は、捕虫シート１の露出した面（粘着層３及び粘着部５０の少なくとも一方）に接触する。そして、粘着層３及び粘着部５０の少なくとも一方が虫に粘着することで、虫が捕獲される。
【００３３】
なお、蚊等の虫は通常、粗い面には接触し難い。つまり、蚊等の虫は、凹部３０の形成された粘着層３には接触し難い。しかし、本実施形態における捕虫シート１においては、凹部３０の内部に粘着部５０が配置され、露出した面が平坦になっている。
【００３４】
上記実施形態に係る捕虫シートの製造方法及びエアゾール組成物によれば、以下の効果が奏される。
（１）上記実施形態では、捕虫シート１の製造方法が、シート状の基材２と、基材２に積層されて虫を捕獲する粘着層３と、を有する粘着シート１０の粘着層３に、エアゾール組成物５を噴射する噴射工程ＳＴ２を備えるものとした。また、エアゾール組成物５が、粘着剤と、前記虫を誘引する誘引剤と、溶剤と、噴射剤と、を含有するものとした。
蚊等の虫は通常、粗い面には接触し難いが、本実施形態では、エアゾール組成物５の原液の有効成分（粘着剤及び誘引剤）に由来する粘着部５０によって、捕虫シート１の露出面を平坦にできる。更に、粘着部５０の含有する誘引剤によって、虫が捕虫シート１の表面（粘着部５０）に誘引され、粘着層３及び粘着部５０の少なくとも一方に接触しやすくなる。従って、上記実施形態によれば、粘着層３の表面の粗さに起因して蚊等の虫を捕獲する能力が低下することのない捕虫シート１を製造することができる。
【００３５】
（２）上記実施形態では、粘着シート１０が、粘着層３に積層され且つ粘着層３から剥離することが可能な剥離層４を更に有するものとした。更に、捕虫シート１の製造方法が、噴射工程ＳＴ２の前に、剥離層４を剥離させることで粘着層３を露出させる剥離工程ＳＴ１を更に備えるものとした。
これにより、剥離工程ＳＴ１によって、粘着層３の表面に凹部３０が形成されてしまう。上記実施形態によれば、凹部３０が形成されてしまったとしても、凹部３０の内部に粘着部５０が配置され、粘着層３の露出した面が平坦になる。従って、粘着層３の表面の粗さに起因して蚊等の虫を捕獲する能力が低下することのない捕虫シート１を製造することができる。
【００３６】
（３）上記実施形態では、粘着層３にエアゾール組成物５を噴射するために用いられるエアゾール製品７において、エアゾール容器６に充填されたエアゾール組成物５が、粘着剤と、前記虫を誘引する誘引剤と、溶剤と、噴射剤と、を含有するものとした。
これにより、粘着層３が粗いことによって粘着層３に蚊等の虫が接触し難くなっていたとしても、エアゾール組成物５の原液の有効成分（粘着剤及び誘引剤）によって粘着層３の露出面を平坦にできる。更に、誘引剤によって、虫が粘着層３に誘引され、粘着層３の表面及び粘着剤の少なくとも一方に接触しやすくなる。従って、上記実施形態によれば、粘着層３の表面の粗さに起因して蚊等の虫を捕獲する能力が低下することのない捕虫シート１の製造に用いることができるエアゾール製品７を提供できる。
【００３７】
なお、本発明は上記実施形態に限定されるものではなく、本発明の目的を達成できる範囲での変形、改良等は本発明に含まれる。
上記実施形態においては、粘着シート１０が、基材２と、粘着層３と、剥離層４と、を有するものとしたが、本発明に係る捕虫シートの製造方法に供される粘着シートは、これに限定されない。例えば、一方の面に粘着層が形成され且つ他方の面が剥離処理されたシートを、多数積層させた積層シートを、本発明に係る捕虫シートの製造方法に供してもよい。この積層シートは、複数のシートを順に剥離して粘着層を露出させることにより、繰り返し捕虫シートの製造に用いることができる。
【００３８】
次に、上記実施形態で説明した製造方法により製造した捕虫シート１を用いた実証実験の結果について説明する。本実験は、上記実施形態のエアゾール製品７を粘着シート１０に吹き付けても飛翔昆虫を捕獲することができるか否か、香料の違いによって捕獲率が異なるか否かを実証することを目的として行われたものである。
【００３９】
実験の基本条件について説明する。本実験では、エアゾール製品７を吹き付ける粘着シート１０として、ＬＵＩＣＳ（登録商標）Ｆの交換シート（塗布面のサイズ３４５ｍｍ×１０７ｍｍ）を用いた。５枚の粘着シート１０に誘引剤としての香料が異なるエアゾール製品をそれぞれ吹き付けている。なお、以下の説明において、実施例１〜５は、以下の対応関係にあるものとする。
実施例１：菊の花の香料等を誘引剤としたエアゾール製品
実施例２：パイナップル香料を誘引剤としたエアゾール製品
実施例３：ラベンダー油を誘引剤としたエアゾール製品
実施例４：リンゴ香料を誘引剤としたエアゾール製品
実施例５：ＩＰＡ（イソプロパノール）を誘引剤としたエアゾール製品
【００４０】
実施例１〜５に係る捕虫シートは、いずれも設置場所に立設するフェンスに固定した。捕虫シートは、何れも長手方向を上下方向に向けた状態で、横に間隔をあけて配列してあり、飛翔性の虫を捕獲するために地上よりも高い位置に設置されている。
【００４１】
＜実験１回目＞
場所：駐車場フェンス(砂利)
日時：２０１６年４月１８日１５：００〜２０日１５：００
４月１８日の気候条件：最低温度８℃最高温度１８℃  天候：曇り  風速：３〜５ｍ
４月１９日の気候条件：最低温度５℃最高温度１９℃  天候：晴れ  風速：１〜４ｍ
４月２０日の気候条件：最低温度６℃最高温度２０℃  天候：晴れ  風速：１〜３ｍ
【００４２】
【表１】
2017006126.tif 000003
【００４３】
図２（ａ）は、表１の結果を棒グラフにしたものである。表１及び図２（ａ）に示す４月２０日１５：００の捕虫数は、飛翔性を有する虫の最終的な捕獲数であり、表１の括弧内の数字は、４月１９日１５:００から更に捕捉された捕虫数を示す。例えば、菊の花を誘引剤に用いた実施例１では、４月１９日１５：００の時点では２５匹の虫を捕獲していたことが視認され、４月２０日１５：００の時点では、４月１９日１５：００から更に３４匹の虫が捕獲されて合計５９匹になったことを示す。
【００４４】
＜実験２回目＞
場所：コンテナ裏のフェンス
日時：２０１６年４月２０日１５：００〜２２日１５：００
４月２０日の気候条件：最低温度６℃最高温度２０℃  天候：晴れ  風速：１〜３ｍ
４月２１日の気候条件：最低温度１４℃最高温度１７℃  天候：曇後雨  風速：１〜６ｍ
４月２２日の気候条件：最低温度１４℃最高温度１８℃  天候：晴れ  風速：１〜４ｍ
【００４５】
【表２】
2017006126.tif 000004
【００４６】
図２（ｂ）は、表２の結果を棒グラフにしたものである。表２及び図２（ｂ）に示す４月２２日１５：００の捕虫数は、最終的な捕虫数であり、表２の括弧内の数字は、４月２１日１５:００から更に捕捉された捕虫数を示す。
【００４７】
＜実験３回目＞
場所：駐車場フェンス(砂利)
日時：２０１６年４月２５日１７：００〜２６日９：３０
４月２５日の気候条件：最低温度１２℃最高温度２２℃  天候：晴れ  風速：１〜３ｍ
４月２６日の気候条件：最低温度１１℃最高温度２５℃  天候：晴れ  風速：１ｍ
【００４８】
【表３】
2017006126.tif 000005
【００４９】
図３（ａ）は、表３の結果を棒グラフにしたものである。表３及び図３（ａ）に示す４月２６日９：３０の捕虫数は、最終的な捕虫数であり、表３の括弧内の数字は、４月２５日１７:３０から更に捕捉された捕虫数を示す。
【００５０】
＜実験４回目＞
場所：コンテナ裏のフェンス
日時：２０１６年４月２６日１７：００〜２７日９：３０
４月２６日の気候条件：最低温度１１℃最高温度２５℃  天候：晴れ  風速：１ｍ
４月２７日の気候条件：最低温度１５℃最高温度２０℃  天候：晴れ  風速：１〜３ｍ
【００５１】
【表４】
2017006126.tif 000006
【００５２】
図３（ｂ）は、表４の結果を棒グラフにしたものである。表４及び図３（ｂ）に示す４月２７日９：３０の捕虫数は、最終的な捕虫数であり、表４の括弧内の数字は、４月２６日１７:３０から更に捕捉された捕虫数を示す。
【００５３】
表１〜４及び図２及び図３に示す結果からわかるように、香料を誘引剤として含有するエアゾール製品を使って粘着シートに香料を吹き付けた場合であっても飛翔性の虫を捕捉することができることが実証された。また、香料の中では、実施例５のＩＰＡを誘引剤として用いた場合が、最も捕虫効果が高かったことが実証された。更に、表１〜２及び図２の結果からも、少なくとも２４時間は誘引剤の効果が持続することがわかった。これらの実験結果により、適宜の香料をエアゾール組成物５に含有させることにより、粘着シートに誘引剤としての香料を含ませることができることが実証されたのである。
【符号の説明】
【００５４】
１…捕虫シート
２…基材
３…粘着層
４…剥離層
５…エアゾール組成物
６…エアゾール容器
７…エアゾール製品
１０…粘着シート
【図１Ａ】
2017006126.tif 000007
【図１Ｂ】
2017006126.tif 000008
【図１Ｃ】
2017006126.tif 000009
【図１Ｄ】
2017006126.tif 000010
【図２】
2017006126.tif 000011
【図３】
2017006126.tif 000012